(57)【要約】【課題】  直管形蛍光ランプ用の照明器具への誤装着が起こりにくい直管形ＬＥＤランプとそれに使用するソケット、及び直管形ＬＥＤランプ用照明器具を提供することを目的とする。【解決手段】  直管形ＬＥＤランプの中心軸と偏心した位置に設けた、少なくとも１本の保持用口金ピンが設けられている保持用口金を備えた直管形ＬＥＤランプにおいて、該直管形ＬＥＤランプは所定角度回転させることで装着可能となるが、該保持具に適合しない口金の直管形ＬＥＤランプの場合は装着できないという保持具を備える。【選択図】図１
2014089835.tif 000002
【特許請求の範囲】
【請求項１】
一端部に給電用口金ピンを有し、他端部に保持用口金ピンを有する直管形ＬＥＤランプにおいて、
前記保持用口金ピンを、前記直管形ＬＥＤランプの中心軸と偏心した位置に設けたことを特徴とする直管形ＬＥＤランプ。
【請求項２】
前記保持用口金ピンが１本であることを特徴とする請求項１に記載の直管形ＬＥＤランプ。
【請求項３】
前記請求項１又は請求項２に記載の直管形ＬＥＤランプを装着する照明器具であって、
一端部に前記直管形ＬＥＤランプの給電用口金ピンの給電用ソケットを有し、他端部に前記保持用口金ピンの保持具が備えられており、
前記給電用ソケットと前記保持具は、前記直管形ＬＥＤランプを所定角度回転することにより各口金ピンが着脱可能となっていることを特徴とする照明器具。
【請求項４】
前記保持用口金の保持具は、前記請求項１又は請求項２に記載の直管形ＬＥＤランプの保持用口金ピンのみを保持し、それ以外の保持用口金ピンの保持を規制する規制手段を有していることを特徴とする請求項３に記載の照明器具。
【請求項５】
前記保持用口金ピンが装着される保持具は、前記保持用口金ピンを保持した状態で前記直管形ＬＥＤランプを回転させたときに連動して回転する回転子を備えており、所定角度回転したとき、回転子からの保持用口金ピンの取り外しができない状態になることを特徴とする請求項３又は５に記載の照明器具。
【請求項６】
前記回転子に規制片を設け、前記保持具に対応しない口金ピンが挿入されたとき、該規制片が口金ピンに押圧され弾性変形し、保持具に有する係合孔と干渉することで、前記回転子の回転を規制することを特徴とする請求項５に記載の照明器具。
【発明の詳細な説明】
【技術分野】
【０００１】
本発明は、直管形ＬＥＤランプと、その直管形ＬＥＤランプを装着する照明器具に関するものである。
【背景技術】
【０００２】
従来より、直管形蛍光ランプはＧ１３口金やＲ１７ｄ口金を両端に有するものが使われ、同時に直管形蛍光ランプを使用する照明器具はＧ１３口金に対応したソケットが配置される。一方、既設の照明器具に、直管形蛍光ランプの代わりに使用可能な光源として、低消費電力で長寿命である直管形ＬＥＤランプがある。直管形ＬＥＤランプは、直管形蛍光ランプと外形寸法が同じで、両側にＧ１３口金が設けられているため、既設の照明器具に配置されたソケットに装着が可能であった。
【０００３】
しかしながら、直管形ＬＥＤランプは電源回路を内蔵し、既設の照明器具の直管形蛍光ランプ用の点灯回路でそのまま点灯可能なものもあるが、直管形蛍光ランプ用の点灯回路では点灯できず、直管形ＬＥＤランプ用の点灯回路と交換の必要があるものもある。そのため、直管形蛍光ランプを用いる既設の照明器具で、専用の点灯回路を必要とする直管形ＬＥＤランプを使用できるように改造する場合、点灯回路をＬＥＤランプ用のものと交換するなどの改造工事が必要であった。
【先行技術文献】
【特許文献】
【０００４】
【特許文献１】特開２００４−３３５４２６号公報
【発明の概要】
【発明が解決しようとする課題】
【０００５】
上述のように直管形蛍光ランプと、その代替光源である直管形ＬＥＤランプが同じ口金を使用している場合、直管形蛍光ランプ用の照明器具を直管形ＬＥＤランプ用に改造した後でも、再び直管形蛍光ランプが装着されたり、他メーカーのＬＥＤランプが装着される可能性がある。また、直管形蛍光ランプ用の点灯回路を備えた照明器具に、蛍光ランプ用の点灯回路では点灯できない直管形ＬＥＤランプが、誤って接続される可能性もあった。
【０００６】
本発明は上記課題に鑑みて為されたものであり、直管形蛍光ランプ用の照明器具への誤装着が起こりにくい直管形ＬＥＤランプと、それを装着するための照明器具を提供することを目的とする。
【課題を解決するための手段】
【０００７】
請求項１に記載の発明にあたっては、一端部に給電用口金ピンを有し、他端部に保持用口金ピンを有する直管形ＬＥＤランプにおいて、前記保持用口金ピンを、前記直管形ＬＥＤランプの中心軸と偏心した位置に設けたことを特徴とするものである。
【０００８】
請求項２の記載の発明にあたっては、前記保持用口金ピンが１本であることを特徴とするものである。
【０００９】
請求項３に記載の発明にあたっては、一端部に前記直管形ＬＥＤランプの給電用口金ピンの給電用ソケットを有し、他端部に前記保持用口金ピンの保持具が備えられており、
前記給電用ソケットと前記保持具は、前記直管形ＬＥＤランプを所定角度回転することにより各口金ピンが着脱可能となっていることを特徴とするものである。
【００１０】
請求項４に記載の発明にあたっては、前記保持用口金の保持具は、保持用口金ピンのみを保持し、それ以外の保持用口金ピンの保持を規制する規制手段を有していることを特徴とするものである。
【００１１】
請求項５に記載の発明にあたっては、前記保持用口金ピンが装着される保持具は、前記保持用口金ピンを保持した状態で前記直管形ＬＥＤランプを回転させたときに連動して回転する回転子を備えており、所定角度回転したとき、回転子からの保持用口金ピンの取り外しができない状態になることを特徴とするものである。
【００１２】
請求項６に記載の発明にあたっては、前記回転子に規制片を設け、前記保持具に対応しない口金ピンが挿入されたとき、該規制片が口金ピンに押圧され弾性変形し、保持具に有する係合孔と干渉することで、前記回転子の回転を規制することを特徴とするものである。
【発明の効果】
【００１３】
本発明によれば、直管形ＬＥＤランプの両端に設けられている口金が一端側と他端側とで異なるので、両端に同じ形状の口金を有する直管形蛍光ランプ用の照明器具に、直管形ＬＥＤランプを誤って接続してしまう可能性を低減できる。また、両端に同じ形状の口金を有する直管形蛍光ランプと容易に見分けることができ、直管形ＬＥＤランプ及び、直管形蛍光ランプが、それぞれに対応していない照明器具に誤って接続される可能性を低減できる。更に、一端側に２本の口金ピン、他端側に１本の口金ピンを有するＪＥＬ８０１規格に対応した直管形ＬＥＤランプでも、他端側の１本の口金ピンの位置が異なるため、該直管形ＬＥＤランプは誤装着されず、本発明の直管形ＬＥＤランプのみ装着可能となる。
【図面の簡単な説明】
【００１４】
【図１】本発明の実施形態１の直管形ＬＥＤランプ及びその保持具の外観斜視図であり、（ａ）（ｂ）は同直管形ＬＥＤランプの長さ方向の一方向及び他方向から見た状態をそれぞれ示している。
【図２】同上の直管形ＬＥＤランプ及びその保持具の部分拡大図であり、(ａ)は給電用の口金及びソケットを拡大した外観斜視図、（ｂ）は保持用の口金及び保持具を拡大した外観斜視図、（ｃ）は別形状の口金及び保持具を拡大した外観斜視図である。
【図３】同上の直管形ＬＥＤランプに用いる給電用のソケットを示し、（ａ）は正面図、（ｂ）は上面図、  （ｃ）は右側面図、（ｄ）は外観斜視図である。
【図４】同上の直管形ＬＥＤランプに用いる保持具を示し、（ａ）は正面図、（ｂ）は上面図、  （ｃ）は右側面図、（ｄ）は外観斜視図である。
【図５】実施形態の保持用口金ピンが保持具に保持されたときの説明図である。（ａ）は正面図、（ｂ）は斜視図である。
【図６】同上の直管形ＬＥＤランプに用いる保持具の回転子を示し、（ａ）は正面図、（ｂ）は上面図、（ｃ）は右側面図、（ｄ）は外観斜視図である。
【図７】同上の保持具の動作を説明する図である。（ａ）は直管形ＬＥＤランプが未装着時、（ｂ）は装着時の状態である。
【図８】同上の保持具の動作を説明する断面図である。（ａ）は本発明の保持用口金ピンが装着された状態、（ｂ）は本発明以外のものが装着された状態である。
【図９】同上の直管形ＬＥＤランプと保持具を用いる照明器具の外観斜視図である。
【発明を実施するための形態】
【００１５】
以下に、本発明に係る直管形ＬＥＤランプ及びこのＬＥＤランプが装着されるソケットの実施形態を図面に基づいて説明する。
【００１６】
図１（ａ）、（ｂ）に直管形ＬＥＤランプ１の外観斜視図を示す。該直管形ＬＥＤランプ１は、透光性を有する合成樹脂材料により直管状に形成されたカバー２を備えている。カバー２の軸方向一端側には給電用口金３が設けられ、カバー２の軸方向他端側には保持用口金４が設けられている。
【００１７】
カバー２の内部には、複数のＬＥＤを実装したＬＥＤ基板（図示せず）が収納されている。
【００１８】
給電用口金３には図２に示す２本の給電用口金ピン７が設けられている。給電用口金ピン７は帯板状の板金を曲げ加工して形成され、給電用口金３の略円形状の端面３ａから直管形ＬＥＤランプ１の軸方向に沿って延出し、２本の給電用口金ピン７、７は平行に配置され、先端側は略直角に外側方向に曲げられている。
２本の給電用口金ピン７、７は、カバー２の内部で、例えばリード線を介して上記のＬＥＤ基板に電気的に接続されている。尚、ＬＥＤ基板に形成された回路では、給電用口金ピン７、７から入力される直流電圧が全波整流器を介してＬＥＤに供給されており、何れの給電用口金ピン７、７が直流電源の正極側に接続された場合でも、ＬＥＤに順方向電流が流れるようになっている。
【００１９】
給電用口金ピン７の先端側は外側方向へ折り曲げられているので、給電用ソケット１０に装着した状態では、給電用ソケット１０の給電用接触子を給電用口金ピン７の曲げ部で抱え込むようにして、給電用口金ピン７が給電用ソケット１０に取着される。したがって、給電用口金ピン７の曲げ部が給電用接触子に引っ掛かることで、直管形ＬＥＤランプ１が給電用ソケット１０から容易に抜けないようになる。
【００２０】
一方、図２（ｂ）は保持用口金４を拡大した要部の斜視図である。保持用口金４の先端部には、直管形ＬＥＤランプ１の中心軸と偏心した位置に、保持用口金ピン８が長手方向に突設されている。この保持用口金ピン８の垂直断面形状は、略円または縦横比は約１の四角形であるが、この形状に限定されるものではない。
【００２１】
保持用口金ピンの形状の他の実施例として、図２（ｃ）に示す保持用口金ピン８ｂの形状が挙げられる。保持用口金ピン８ｂは、軸方向に向かって延出する軸部８ｂａと、該軸部の先端に設けられた軸方向から見た形状が前記保持具への装着方向を長軸方向とする楕円形状または長方形に形成された金属製のカム板８ｂｂとから形成されている。
【００２２】
保持用口金ピン８、８ｂは、金属を材料とし切削加工や押出加工等により製作される。
【００２３】
この直管形ＬＥＤランプ１の器具への装着は、給電用口金３が給電用ソケット１０により、また保持用口金４が保持具２０によって行われる。
【００２４】
給電用ソケット１０は、図３に示すように給電用ソケット本体１１と給電用ソケット本体１１に回転自在に取付けられた回転子１２と、給電用ソケットの本体１１内に収納された一対の給電用接触子（図示せず）を備えている。なお、給電用ソケット１０の説明では、図３（ａ）に示す向きにおいて上下左右の方向を規定し、図３（ｃ）の左側を前方、右側を後方として説明を行う。
【００２５】
給電用ソケット本体１１は絶縁性を有する合成樹脂製で、給電用ソケット本体１１の前面には丸穴状に開口部１３が開口し、その開口部１３に、回転子１２が本体１１に対して回転自在に収納されている。なお、回転子１２の前面と本体１１の前面は略同じ位置（略同一平面上）にある。本体１１の上面の中央部には前方に切り欠かれた挿入溝１４が開口部１３と連通して形成されている。挿入溝１４の幅寸法Ｘは給電口金ピン７の幅寸法Ａより若干大きい（Ｘ＞Ａ）。また、回転子１２にも給電口金ピン７の挿入溝１２ａが直径方向に形成されている。
【００２６】
回転子１２は絶縁性を有する合成樹脂で形成されており、直径方向に挿入溝１２ａが設けられている。回転子１２と給電用接触子とで、給電用口金３が装着される給電用口金受け部が構成される。
【００２７】
回転子１２が図３(ａ)に示す位置に回転した状態では、挿入溝１４を通して回転子１２の挿入溝１２ａ内に給電用口金ピン７を挿入したり、図３（ａ）において上方へ外すことが可能である。一方、図３（ａ）に示す位置から回転子１２を９０度回転させると、挿入溝１２ａが水平方向に並び、挿入溝１２ａ内に給電用口金ピン７が保持される。
【００２８】
次に、保持具２０について図４を参照して説明する。なお、保持具２０の説明では、図４（ａ）に示す向きにおいて上下左右の方向を規定し、図４（ｃ）の左側を前方、右側を後方として説明を行う。
【００２９】
保持具２０は、図４に示すように、本体２１と背面フタ２４、及び、本体２１と背面フタ２４に挟まれ回転自在に取付けられた回転子２２を備えている。なお、保持具２０の説明では、図４（ａ）に示す向きにおいて上下左右の方向を規定し、図４（ｃ）の左側を前方、右側を後方として説明を行う。
【００３０】
保持具の本体２１、背面フタ２４は絶縁性を有する合成樹脂製で、本体２１の前面には丸穴状の開口部２５が開口し、その開口部２５に、回転子２２が本体２２が本体２１に対して回転自在に収納されている。なお、回転子２２の前面と本体２１の前面は略同一平面上にある。本体２１の上面の中央部には、前方に切欠かれた挿入溝２３が開口部２５と連通して形成され、保持用口金ピン８が挿入される。挿入溝２３の幅寸法Ｃは保持用口金ピン８の直径寸法Ｂより若干大きい（Ｃ＞Ｂ）。
【００３１】
回転子２２は、図６に示すように全体がリール形状となっており、筒胴部に略円形の前面板と後面板が一体形成された構成となっている。前面板と筒胴部には、ピン挿入溝２２ａが直径方向に形成されており、そのピン挿入孔２２ａは前面板の中心部を通過した位置まで延設されている。また、前面板のピン挿入孔２２ａの延長方向下端部には、舌片２２ｄが突設されており、その舌片２２ｄの前面側にはピン衝当部２２ｂが形成されている。
回転子２２の背面フタ２４には、前記ピン挿入溝２２ａと対応した位置に規制片２２ｃが起立するように形成されている。規制片２２ｃは、背面フタ２４に対して前後方向に撓むような弾性力を有している。この規制片２２ｃは下端部が薄肉に形成され、その上部側が厚肉に形成されており、薄肉部がピン保持部２２ｅ、厚肉部がピン衝当部２２ｂとなっている。
【００３２】
回転子２２が図４（ａ）に示す位置にあるとき、保持具２０に設けた挿入溝２３は保持具の本体２１の前面を通り、回転子２２に設けた挿入溝２２ａまで連通しているので、保持用口金ピン８を挿入したり、上方へ外すことが可能である。挿入溝２２ａに挿入された保持用口金ピン８は、ピン衝当部２２ｂを乗越えてピン保持部２２ｅの位置に保持される。一方、図３（ａ）に示す位置から給電用ソケット１０に回転自在に取付られた回転子１２を９０度回転させるのと連動し、図５（ａ）に示すように、保持具２０に回転自在に取付けられた回転子２２が９０度回転することで、これまで連通していた挿入溝２３と挿入溝２２ａの経路が分断されるので、挿入溝２２ａ内のピン保持部２２ｅに保持された保持用口金ピン８を挿入溝２３を通して上方へ外すことができなくなる。この状態を図５（ａ）に保持用口金ピンが断面で示された正面図、及び（ｂ）に斜視図を示す。
【００３３】
図９は、上述の給電用ソケット１０と保持具２０を備えた照明器具３０の外観斜視図である。
この照明器具３０は、天井面に埋込配設されて使用されるものであり、細長い直方体状の
器具本体３１の内部に点灯回路（図示せず）を収納してあり、器具本体３１の長手方向両
端部の下側面には、上述した給電用ソケット１０と保持具２０が、向かい合わせに取り付けられている。而して、直管形ＬＥＤランプ１の両端に設けられた給電用口金３、保持用口金４をそれぞれ給電用ソケット１０及び保持具２０に装着させることによって、直管形ＬＥＤランプ１が器具本体３１に取り付けられる。尚、図９中の３２は、直管形ＬＥＤランプ１からの光を下側の照明空間に反射する反射板である。
【００３４】
ここで、直管形ＬＥＤランプ１を給電用ソケット１０及び保持具２０に着脱する方法について説明する。
【００３５】
直管形ＬＥＤランプ１を給電用ソケット１０及び保持具２０に装着する際には、給電用口金３を給電用ソケット１０側、保持用口金４を保持具２０側にして、直管形ＬＥＤランプ１を器具本体３１の下方から給電用ソケット１０及び保持具２０に近付ける。そして、給電用ソケット１０の挿入溝１４内に給電用口金ピン７を挿入させるとともに、保持具２０の挿入溝２３内に保持用口金ピン８を挿入しピン衝当部２２ｂを乗り越えて保持用口金ピン８をピン保持部２２ｅまで移動させると、２本の給電用口金ピン７、７がそれぞれ挿入溝１２ａ、１２ａに挿入され、保持用口金ピン８の先端部が保持具２０に有するピン保持部２２ｅに挿入された状態になる。この状態で、光源であるＬＥＤが下側を向くようにカバー２を９０度回転させると、回転子１２がカバー２と共に回転し、給電接続端子７、７が水平方向に配置される。このとき、２本の給電接続端子７、７は、ソケット本体１１の内部に配置されている２個の給電用接触子に電気的に接続されて、点灯回路（直流電源）から給電用ソケット１０を介して発光ＬＥＤに直流電力が供給される。同時にカバー２の回転に伴い、保持具２０に取付けられた回転子２２も９０度回転し、直線状に連通していた挿入溝２３と挿入溝２２ａの位置がズレて溝が分断されるので、挿入溝２２ａ内のピン保持部２２ｅにある保持用口金ピン８が保持される。
【００３６】
一方、直管形ＬＥＤランプ１を給電用ソケット１０及び保持具２０から取外す際に、カバー２を装着状態から９０度回転させると、挿入溝１４と挿入溝１２ａ、１２ａとが一列に並べられる。この場合、給電用口金ピン７、７を挿入溝１２ａ、１２ａの外側へ移動させることができ、直管形ＬＥＤランプ１の給電用口金３側を下方へ移動させることによって、給電接続端子７、７が挿入溝１４の外側に出る。同時に保持具２０の挿入溝２３と挿入溝２２ａも直線状に並ぶので、給電用口金３が給電用ソケット１０から外れ、カバー２が給電用口金３を下側にして斜めに傾いた状態で、カバー２を保持具２０から離れる方向に引っ張ると、収納部２２ｅに保持されていた保持用口金ピン８が開口部２３から外側に出て、直管形ＬＥＤランプ１の取り外しが完了する。
【００３７】
保持具２０に回転自在に取付けられた回転子２２は、上述したように舌片２２ｄを備えており、本体の挿入溝２３と回転子の挿入溝２２ａが連通し保持用口金ピン８が挿入可能な状態では、図７（ａ）に示すように、舌片２２ｄに設けた突起２２ｂが保持具の本体２１の前面内壁に設けた係止孔２８ｂに係合している。また、カバー２を９０度回転させて、保持用口金ピン８を保持している状態では、図７（ｂ）に示すように、突起２２ｂは本体２１の前面内壁に設けた係止孔２８ａに係合している。尚、突起２２ｂは突起方向での断面が略半円の半球状をしているため、カバー２の回転に伴う回転子２２の回転によって、係合していた係止孔２８ａから舌片２２ｄが弾性変形することで抜け出すことが可能である。
【００３８】
図４（ａ）中の線Ｄ−Ｄ‘における断面図を用いて、本発明の保持具２０に適合しない保持口金を持つ直管形ＬＥＤランプを装着した場合について説明する。直管形ＬＥＤランプの中心軸から延出している不適合の保持用口金ピン８ａが保持具２０の挿入溝２３、２２ａに挿入された場合、図８（ｂ）に示すように、保持用口金ピン８ａは、規制片２２ｃのピン衝当部２２ｂに当たってピン保持部２２ｅまで到達できず、規制片２２ｃが保持具２０の背面フタ２４に開口した係合孔２７の外側に弾性変形する。このため、ピン衝当部２２ｂが係合孔２７と干渉するため、回転子２２が回転できず、挿入溝２３、２２ａは直線状に連通した状態のままであるため、不適合の保持用口金ピン８ａを保持具２０に保持することができない。照明器具３０に取付けた状態においては、直線状に連続した挿入溝２３、２２ａは真下に向かって開口しているので保持具に装着することができず、不適合の保持口金ピンを有する直管形ＬＥＤランプの誤装着を防止できる。Ｇ１３口金ピンのように２本で構成される口金ピンでも同様に、該口金ピンがピン衝当部２２ｂと当接し規制片２２ｃを弾性変形させてしまう。弾性変形した規制片２２ｃは、保持具２０の背面フタ２４に設けた係合孔２７と干渉するため回転子２２が回転できず、挿入溝２３、２２ａは直線状に連通した状態のままであるため、不適合の口金ピンを保持具２０で保持できない。図８（ａ）は本発明の保持用口金４を保持具２０に装着した場合、保持用口金ピン８はランプ中心軸から離れた位置から延出しているので、保持用口金ピン８の先端部はピン保持部２２ｅに保持され、ピン衝当部２２ｂと当接しないので規制片２２ｃは変形せず、規制片２２ｃが係合孔２７と干渉しないので回転子２２は回転自在である。
【００３９】
以上説明したように、本実施形態の直管形ＬＥＤランプ１は、カバー２の軸方向の一端側に給電用口金３を、他端側に保持用口金４を備えている。給電用口金３には給電用口金ピン７、７が設けられ、保持用口金４には、保持用口金ピン８が設けられている。
【００４０】
これにより、カバー２の一端側と他端側とで異なる口金が設けられているので、両端に同じ形状を有する直管形蛍光ランプの照明器具に、直管形ＬＥＤランプ１を間違って装着することが防げる。また、両端に同じ形状の口金を有する直管形蛍光ランプと容易に見分けがつき、直管形ＬＥＤランプ１及び、直管形蛍光ランプが、それぞれに適応外の照明器具に間違って装着されることを防止できる。
【符号の説明】
【００４１】
１                直管形ＬＥＤランプ
２                カバー
３                給電用口金
４                係合用口金
７                給電用口金ピン
８、８ａ、８ｂ    保持用口金ピン
１０              給電用ソケット
２０              保持具
２２              回転子
２２ａ            挿入溝
２２ｃ            規制片
２２ｅ            ピン保持部
２３              挿入溝
３０              照明器具
【図１】
2014089835.tif 000003
【図２】
2014089835.tif 000004
【図３】
2014089835.tif 000005
【図４】
2014089835.tif 000006
【図５】
2014089835.tif 000007
【図６】
2014089835.tif 000008
【図７】
2014089835.tif 000009
【図８】
2014089835.tif 000010
【図９】
2014089835.tif 000011